(57)【要約】【課題】通信レートが高い場合の受信エラーの発生を抑制すること。【解決手段】複数の変調装置１１０を備える基地局装置１０であって、移動局装置ごとに、通信データを変調するために用いる変調装置１１０を割り当てる送受信系割当部１４２と、各変調装置１１０の変調精度を記憶する変調精度記憶部１５０と、注目移動局装置について、通信データを変調する際に用いるべき変調方式の多値度を取得する多値度取得部１４１と、を含み、送受信系割当部１４２は、多値度取得部１４１により取得される多値度と、各変調装置１１０の変調精度と、に応じて、上記注目移動局装置に対し、通信データを変調するために用いる変調装置１１０を割り当てる、ことを特徴とする。【選択図】図２
2008011111.tif 000002
【特許請求の範囲】
【請求項１】
複数の変調装置を備える基地局装置であって、
移動局装置ごとに、通信データを変調するために用いる変調装置を割り当てる変調装置割当手段と、
前記各変調装置の変調精度を取得する変調精度取得手段と、
注目移動局装置について、通信データを変調する際に用いるべき変調方式の多値度を取得する多値度取得手段と、
を含み、
前記変調装置割当手段は、前記多値度取得手段により取得される多値度と、前記各変調装置の変調精度と、に応じて、前記注目移動局装置に対し、通信データを変調するために用いる変調装置を割り当てる、
ことを特徴とする基地局装置。
【請求項２】
請求項１に記載の基地局装置において、
前記変調装置割当手段は、前記各変調装置の前記注目移動局装置以外の移動局装置への割り当て状態にさらに応じて、該注目移動局装置に対し、通信データを変調するために用いる変調装置を割り当てる、
ことを特徴とする基地局装置。
【請求項３】
請求項１又は２に記載の基地局装置において、
前記変調装置割当手段は、前記注目移動局装置に対し、通信データを変調するために用いる変調装置を既に割り当てている場合、前記多値度取得手段により取得される多値度と、前記各変調装置の変調精度と、に応じて、前記注目移動局装置に対して割り当てる変調装置を変更する、
ことを特徴とする基地局装置。
【請求項４】
請求項３に記載の基地局装置において、
前記多値度取得手段は、前記注目移動局装置との通信状態に応じて、前記多値度を取得する、
ことを特徴とする基地局装置。
【請求項５】
請求項３又は４に記載の基地局装置において、
前記変調装置割当手段は、前記注目移動局装置に対し、通信データを変調するために用いる変調装置を既に割り当てている場合において、前記多値度取得手段により取得される多値度が所定値以下であり、かつ前記注目移動局装置との通信に用いる電波の電界強度が所定値以下である場合に、前記注目移動局装置に対して割り当てる変調装置を、既に割り当てている変調装置より変調精度の悪いものに変更する、
ことを特徴とする基地局装置。
【請求項６】
複数の復調装置を備える基地局装置であって、
移動局装置ごとに、通信データを復調するために用いる復調装置を割り当てる復調装置割当手段と、
前記各復調装置の復調精度を取得する復調精度取得手段と、
注目移動局装置について、通信データを復調する際に用いるべき変調方式の多値度を取得する多値度取得手段と、
を含み、
前記復調装置割当手段は、前記多値度取得手段により取得される多値度と、前記各復調装置の復調精度と、に応じて、前記注目移動局装置に対し、通信データを変調するために用いる復調装置を割り当てる、
ことを特徴とする基地局装置。
【請求項７】
複数の変調装置を備える基地局装置において移動局装置に変調装置を割り当てるための変調装置割当方法であって、
前記各変調装置の変調精度を取得する変調精度取得ステップと、
注目移動局装置について、通信データを変調する際に用いるべき変調方式の多値度を取得する多値度取得ステップと、
前記多値度取得手段により取得される多値度と、前記各変調装置の変調精度と、に応じて、前記注目移動局装置に対し、通信データを変調するために用いる変調装置を割り当てる変調装置割当ステップと、
を含むことを特徴とする変調装置割当方法。
【請求項８】
複数の復調装置を備える基地局装置において移動局装置に復調装置を割り当てるための復調装置割当方法であって、
前記各復調装置の復調精度を取得する復調精度取得ステップと、
注目移動局装置について、通信データを復調する際に用いるべき変調方式の多値度を取得する多値度取得ステップと、
前記多値度取得手段により取得される多値度と、前記各復調装置の復調精度と、に応じて、前記注目移動局装置に対し、通信データを変調するために用いる復調装置を割り当てる復調装置割当ステップと、
を含むことを特徴とする復調装置割当方法。
【発明の詳細な説明】
【技術分野】
【０００１】
本発明は基地局装置、変調装置割当方法、及び復調装置割当方法に関し、特に、通信レートが高い場合の受信エラーの発生を抑制するための技術に関する。
【背景技術】
【０００２】
基地局装置には複数の変調装置を備えているものがある（例えば特許文献１参照。）。基地局装置が移動局装置に対して送信する通信データは、いずれかの変調装置により変調される。通信データを変調するために用いる変調装置は、移動局装置ごとに、通信確立時に割り当てられる。
【０００３】
この変調方式は、ＢＥＲ（ＦＥＲ）や受信電界強度に基づいて、複数の変調装置のうちから適宜選択される（例えば、適応変調方式。）。変調装置の変調精度にはバラツキがあるのが通常であるが、上記適応変調方式の例では、電波環境や通信状態に基づいて変調方式の切り替えが行われ、変調装置の変調精度バラツキは考慮されない。運用されている変調装置の変調精度は少なくとも規格値を満足しているので、フィルタやＰＬＬＩＣ等の性能差により多少バラつくことがあるとはいえ、そのバラツキの程度はさほど大きくないからである。
【特許文献１】特開２００５−４５４４８号公報
【発明の開示】
【発明が解決しようとする課題】
【０００４】
しかしながら、上記従来の基地局装置では、移動局装置に変調装置を割り当てる際、複数の変調装置のうち、いずれの変調装置が割り当てられるのかは、割り当て時の空き状況等によって決定され、変調精度は考慮されないため、選択された変調方式の多値度が高く、変調精度が復調特性に与える影響が大きい場合、上記のように変調精度を考慮せずに変調装置を決めている現状では、割り当てられた変調装置の変調精度と通信レートによっては、受信エラーが発生してしまう場合があった。
【０００５】
上記事情は復調装置において同様であり、割り当てられた復調装置の復調精度と通信レートによっては、受信エラーが発生してしまう場合があった。
【０００６】
従って、本発明の課題の一つは、通信レートが高い場合の受信エラーの発生を抑制することのできる基地局装置、変調装置割当方法、及び復調装置割当方法を提供することにある。
【課題を解決するための手段】
【０００７】
上記課題を解決するための本発明にかかる基地局装置は、複数の変調装置を備える基地局装置であって、移動局装置ごとに、通信データを変調するために用いる変調装置を割り当てる変調装置割当手段と、前記各変調装置の変調精度を取得する変調精度取得手段と、注目移動局装置について、通信データを変調する際に用いるべき変調方式の多値度を取得する多値度取得手段と、を含み、前記変調装置割当手段は、前記多値度取得手段により取得される多値度と、前記各変調装置の変調精度と、に応じて、前記注目移動局装置に対し、通信データを変調するために用いる変調装置を割り当てる、ことを特徴とする。
【０００８】
これによれば、通信レートが高い場合の受信エラーの発生を抑制することができる。
【０００９】
また、上記基地局装置において、前記変調装置割当手段は、前記各変調装置の前記注目移動局装置以外の移動局装置への割り当て状態にさらに応じて、該注目移動局装置に対し、通信データを変調するために用いる変調装置を割り当てる、こととしてもよい。
【００１０】
これによれば、他の移動局装置への割り当て状態により、最適な変調装置を注目移動局装置に割り当てることが無理であったとしても、次善の変調装置を割り当てることが可能となる。
【００１１】
また、上記各基地局装置において、前記変調装置割当手段は、前記注目移動局装置に対し、通信データを変調するために用いる変調装置を既に割り当てている場合、前記多値度取得手段により取得される多値度と、前記各変調装置の変調精度と、に応じて、前記注目移動局装置に対して割り当てる変調装置を変更する、こととしてもよい。
【００１２】
これによれば、一旦変調装置を割り当てた後に、割り当てる変調装置を変更することが可能となる。その結果、通信時のエラーをより抑えることができる。
【００１３】
さらに、この基地局装置において、前記多値度取得手段は、前記注目移動局装置との通信状態に応じて、前記多値度を取得する、こととしてもよい。
【００１４】
これによれば、通信状態に応じて適応的に取得される多値度に応じて、適宜、変調装置を変更していくことが可能となる。
【００１５】
また、上記各基地局装置において、前記変調装置割当手段は、前記注目移動局装置に対し、通信データを変調するために用いる変調装置を既に割り当てている場合において、前記多値度取得手段により取得される多値度が所定値以下であり、かつ前記注目移動局装置との通信に用いる電波の電界強度が所定値以下である場合に、前記注目移動局装置に対して割り当てる変調装置を、既に割り当てている変調装置より変調精度の悪いものに変更する、こととしてもよい。
【００１６】
これによれば、変調精度を良くしても受信エラー発生抑制効果が得られない場合に、変調精度の悪いものを割り当てることができ、変調装置を効率的に割り当てることができる。
【００１７】
また、本発明の別の側面にかかる基地局装置は、複数の復調装置を備える基地局装置であって、移動局装置ごとに、通信データを復調するために用いる復調装置を割り当てる復調装置割当手段と、前記各復調装置の復調精度を取得する復調精度取得手段と、注目移動局装置について、通信データを復調する際に用いるべき変調方式の多値度を取得する多値度取得手段と、を含み、前記復調装置割当手段は、前記多値度取得手段により取得される多値度と、前記各復調装置の復調精度と、に応じて、前記注目移動局装置に対し、通信データを変調するために用いる復調装置を割り当てる、ことを特徴とする。
【００１８】
このようにしても、通信レートが高い場合の受信エラーの発生を抑制することができる。
【００１９】
また、本発明にかかる変調装置割当方法は、複数の変調装置を備える基地局装置において移動局装置に変調装置を割り当てるための変調装置割当方法であって、前記各変調装置の変調精度を取得する変調精度取得ステップと、注目移動局装置について、通信データを変調する際に用いるべき変調方式の多値度を取得する多値度取得ステップと、前記多値度取得手段により取得される多値度と、前記各変調装置の変調精度と、に応じて、前記注目移動局装置に対し、通信データを変調するために用いる変調装置を割り当てる変調装置割当ステップと、を含むことを特徴とする。
【００２０】
また、本発明にかかる復調装置割当方法は、複数の復調装置を備える基地局装置において移動局装置に復調装置を割り当てるための復調装置割当方法であって、前記各復調装置の復調精度を取得する復調精度取得ステップと、注目移動局装置について、通信データを復調する際に用いるべき変調方式の多値度を取得する多値度取得ステップと、前記多値度取得手段により取得される多値度と、前記各復調装置の復調精度と、に応じて、前記注目移動局装置に対し、通信データを変調するために用いる復調装置を割り当てる復調装置割当ステップと、を含むことを特徴とする。
【発明を実施するための最良の形態】
【００２１】
本発明の実施の形態について、図面を参照しながら説明する。
【００２２】
図１は、本実施の形態にかかる移動体通信システム１のシステム構成を示す図である。同図に示すように、移動体通信システム１は、基地局装置１０と、移動局装置２０と、を含んで構成される。
【００２３】
基地局装置１０及び移動局装置２０は、いずれもＣＰＵ及びメモリを備えるコンピュータである。ＣＰＵは、メモリに記憶されるプログラムを実行するための処理ユニットであり、各装置の各部を制御する処理を行うとともに、後述する各機能部を実現する。メモリは本実施の形態を実施するためのプログラムやデータを記憶している。また、ＣＰＵのワークメモリとしても動作する。
【００２４】
基地局装置１０は、複数の移動局装置２０との間で、時分割多重、周波数分割多重、及び時分割複信により多重化された無線通信を行う。すなわち、基地局装置１０は、各移動局装置２０に周波数チャネル及びタイムスロットを割り当てる。基地局装置１０は、この割り当てを、移動局装置２０間で周波数チャネルとタイムスロットの組み合わせ（以下、多重単位と称する。）が重複しないように行う。
【００２５】
上記無線通信にかかる通信データの変調方式は、適応変調方式により、通信状態に応じて適宜選択的に変更される。具体的には、通信状態が良いほど、多値度の高い変調方式が選択される。
【００２６】
図２は、基地局装置１０の機能ブロックを示す図である。同図に示すように、基地局装置１０は、複数の送信回路１１、各送信回路１１にそれぞれ対応する複数の受信回路１２及び複数のデュプレクサ１３、信号処理部１４、記憶部１５を含んで構成される。また、各送信回路１１は変調装置１１０を、各受信回路１２は復調装置１２０を、信号処理部１４はデータ受信部１４０、多値度取得部１４１、送受信系割当部１４２、及びデータ送信部１４３を、記憶部１５は変調精度記憶部１５０及び送受信系割当記憶部１５１を、それぞれ含んで構成される。
【００２７】
以下の説明では、まず通信データの送受信にかかる構成について説明し、その後、通信レートが高い場合の受信エラーの発生を抑制するための構成について説明する。
【００２８】
まず、通信データの送受信にかかる構成について説明する。送受信系割当部１４２は、移動局装置２０ごとに、通信開始時に、通信データを変調するために用いる１又は複数の送信回路１１、及び通信データを復調するために用いる１又は複数の受信回路１２を割り当てる。なお、送受信系割当部１４２は、ダイバーシチ受信を行う場合には、１つの移動局装置２０に複数の受信回路１２を割り当てる。また、アダプティブアレイ送受信を行う場合には、１つの移動局装置２０に複数の送信回路１１及び複数の受信回路１２を割り当てる。
【００２９】
送受信系割当記憶部１５１は、移動局装置２０と、送受信系割当部１４２により割り当てられた送信回路１１及び受信回路１２と、を対応付けて記憶する。
【００３０】
データ受信部１４０は、送受信系割当記憶部１５１に記憶される情報に基づき、各受信回路１２に対し、受信すべき無線信号を指示する。具体的には、ある移動局装置２０と対応付けて記憶される受信回路１２に対し、該移動局装置２０に割り当てられた多重単位を使用して無線信号を受信するよう、指示する。
【００３１】
同様に、データ送信部１４３は、送受信系割当記憶部１５１に記憶される情報に基づき、各送信回路１１に対し、送信すべき無線信号の多重単位を指示する。具体的には、ある移動局装置２０と対応付けて記憶される送信回路１１に対し、該移動局装置２０に割り当てられた多重単位を使用して無線信号を送信するよう、指示する。
【００３２】
各デュプレクサ１３はアンテナと接続されており、上り受信タイミングではアンテナと受信回路１２を接続し、下り送信タイミングではアンテナと送信回路１１を接続する。
【００３３】
各受信回路１２は、下り送信タイミングにおいて、それぞれデータ受信部１４０から指示された多重単位を使用して無線信号を受信する。この無線信号は、所定変調方式で変調された部分（所定変調方式部分）と、任意の変調方式で変調された部分（可変変調方式部分）と、から構成されており、所定変調方式部分には可変変調方式部分の変調に用いた変調方式を示す変調方式情報が含まれる。各受信回路１２は、受信した無線信号を、そのうち所定変調方式部分については所定の変調方式で、可変変調方式部分については所定変調方式部分に含まれる変調方式情報により示される変調方式で、復調装置１２０に復調させる。そして、復調の結果得られる復調信号をデータ受信部１４０に出力する。
【００３４】
データ受信部１４０は、各受信回路１２から入力される復調信号に基づき、各移動局装置２０が送信した通信データを取得する。
【００３５】
データ送信部１４３は、各移動局装置２０に対して送信すべき通信データを取得し、各送信回路１１に対して出力する。
【００３６】
各送信回路１１は、データ送信部１４３から入力された通信データを変調装置１１０に変調させる。この変調では、後述する多値度取得部１４１により取得された変調方式が用いられる。各送信回路１１は、変調の結果得られる無線信号を、データ送信部１４３から指示された多重単位を使用して無線送信する。
【００３７】
次に、通信レートが高い場合の受信エラーの発生を抑制するための構成について説明する。
【００３８】
変調精度記憶部１５０は、各変調装置１１０の変調精度及び各復調装置１２０の復調精度を記憶する。
【００３９】
ここで、変調精度及び復調精度について説明する。変調精度は、実際に変調して得られる信号点と理想の信号点のずれの度合いを示す指標である。復調精度は、復調の正確さを示す指標である。変調精度及び復調精度の値は百分率で示され、その値が小さいほど変調又は復調の精度が良いことを意味している。
【００４０】
以下では、特に変調精度について説明する。一般に、各変調装置１１０の変調精度は、図３に示されるように、ばらついている。また、図３にも示されるように変調精度には規格値があり、運用されている変調装置１１０の変調精度は少なくともこの規格値以下である。各変調装置１１０の変調精度は製造時に測定され、変調精度記憶部１５０に書き込まれる。
【００４１】
また、図４には、変調精度の違いが復調に与える影響を示す。同図（ａ）（ｂ）（ｃ）は、それぞれ変調方式ＤＱＰＳＫ(Differential Quadrature Phase Shift Keying，多値度４)、１６ＱＡＭ(16Quadrature Amplitude Modulation，多値度１６)、３２ＱＡＭ(32 Quadrature Amplitude Modulation，多値度３２)を用いた場合の、ＳＮＲ(Signal to Noise Ratio)とＢＥＲ(Bit Error Rate)の関係を示す図である。図４に示されるように、多値度が低いと、ＳＮＲが大きくなった場合のＢＥＲの減少率は変調精度にほとんど依らないが、多値度が高いと、ＳＮＲが大きくなった場合のＢＥＲの減少率が変調精度によって大きく異なる。ＢＥＲの減少率と変調精度のこのような関係のため、割り当てられた変調装置の変調精度と通信レートによっては、受信エラーが発生してしまう場合があるのである。
【００４２】
各移動局装置２０は、当該基地局装置１０が上記のようにして無線送信した無線信号を受信し、その受信状態（受信電力やエラーレートなど）に応じて、通信データの変調に用いる変調方式を取得する。そして、上述のように、取得した変調方式を示す変調方式情報を、通信データの所定変調方式部分に含めて送信する。
【００４３】
多値度取得部１４１は、データ受信部１４０により取得される通信データから、各移動局装置２０が送信した上記変調方式情報を取得する。そして、取得した変調方式情報に基づき、各移動局装置２０からの通信データを復調する際に用いる変調方式の多値度（以下では、上り多値度と称する。）を取得する。
【００４４】
また、多値度取得部１４１は、データ受信部１４０により取得される通信データの受信状態（受信電力やエラーレートなど）に応じて、該通信データを送信した移動局装置２０に対して送信する通信データの変調に用いる変調方式を決定する。そして、決定した変調方式情報に基づき、各移動局装置２０向けの通信データを変調する際に用いる変調方式の多値度（以下では、下り多値度と称する。）を取得する。
【００４５】
送受信系割当部１４２は、変調精度記憶部１５０から、各変調装置１１０の変調精度と、各復調装置１２０の復調精度と、を取得する。そして、注目移動局装置２０について多値度取得部１４１により取得される下り多値度と、各変調装置１１０の変調精度と、に応じて、注目移動局装置２０に対し、通信データを変調するために用いる送信回路１１を割り当てる。既に割り当てている場合には、注目移動局装置２０に対して割り当てる送信回路１１を変更する。同様に、注目移動局装置２０について多値度取得部１４１により取得される上り多値度と、各復調装置１２０の復調精度と、に応じて、注目移動局装置２０に対し、通信データを復調するために用いる受信回路１２を割り当てる。既に割り当てている場合には、注目移動局装置２０に対して割り当てる受信回路１２を変更する。
【００４６】
以下、具体的な例により、送受信系割当部１４２の処理について、より詳細に説明する。以下では受信回路１２の割り当てを例にとって説明するが、送信回路１１の割り当てについても同様である。
【００４７】
送受信系割当部１４２は、変調精度記憶部１５０から取得した各復調装置１２０の変調精度に基づき、各受信回路１２をランク付けする。具体的には、復調精度の小さい順（良い順）に、高いランクを与える。ダイバーシチ受信のように複数の受信回路１２を使用して受信する場合には、各受信回路１２の組み合わせをランク付けする。具体的には、各受信回路１２の組み合わせの復調精度を式（１）の例により算出し、算出された復調精度の小さい順（良い順）に、高いランクを与える。なお、式（１）では、ｉ番目の復調装置１２０の復調精度をＥｉとし、１番目からＮ番目までの復調装置１２０の組み合わせの復調精度をＥＳとしている。
【数１】
2008011111.tif 000003
【００４８】
送受信系割当部１４２は、以上のようにして得たランク付けに基づき、各受信回路１２の注目移動局装置２０以外の移動局装置２０への割り当て状態にさらに応じて、注目移動局装置２０に対し、通信データを復調するために用いる受信回路１２を割り当てる。
【００４９】
また、送受信系割当部１４２は、注目移動局装置２０に対し、受信回路１２を既に割り当てている場合において、上り多値度が所定値以下であり、かつ注目移動局装置２０との通信に用いる電波の電界強度が所定値以下である場合に、注目移動局装置２０に対して割り当てる受信回路１２を、既に割り当てている受信回路１２より復調精度の悪いものに変更する。
【００５０】
以下、このような割り当てのより具体的な例について、送受信系割当部１４２の処理フローを参照しながら説明する。
【００５１】
図５は、送受信系割当部１４２の処理フローを示す図である。図５では、変調装置１１０の変調精度に基づく送信回路１１の割り当てを取り上げて説明する。また、ここでは１つの移動局装置２０に１つの送信回路１１を割り当てるものとして説明する。
【００５２】
図５に示されるように、送受信系割当部１４２は、まず各変調装置１１０の変調精度を取得する（Ｓ１）。そして、取得した変調精度に基づき、各送信回路１１のランク付けを行う（Ｓ２）。
【００５３】
注目移動局装置２０との通信を開始する（Ｓ３）際には、送受信系割当部１４２は、該注目移動局装置２０に対し、１つの送信回路１１を割り当てる（Ｓ４）。
【００５４】
通信中になると（Ｓ５）、送受信系割当部１４２は定期的に下り多値度を確認し（Ｓ６）、それが高レートを実現する多値度であれば、より高いランクの送信回路１１に割り当て可能か否かを判定する（Ｓ７）。Ｓ７では、送受信系割当部１４２は、例えば既に他の移動局装置２０に割り当てられて新たに割り当てる余地がない送信回路１１については、割り当て不可能と判定する。割り当て可能な送信回路１１がなければ、その処理をＳ５に戻す。一方、割り当て可能な送信回路１１があれば、その中で最もランクが高いものに、注目移動局装置２０に対して割り当てる送信回路１１を変更し（Ｓ８）、その処理をＳ５に戻す。
【００５５】
Ｓ６において確認した多値度が低レートを実現する多値度であれば、送受信系割当部１４２は、移動局装置２０から受信している電波の電界強度を取得し、所定閾値と比較する（Ｓ９）。その結果、電界強度が所定閾値より高ければ、その処理をＳ５に戻す。一方、電界強度が所定閾値より低ければ、より低いランクの送信回路１１に割り当て可能か否かを判定する（Ｓ１０）。割り当て可能な送信回路１１がなければ、その処理をＳ５に戻す。割り当て可能な送信回路１１があれば、その中で最もランクが高いものに、注目移動局装置２０に対して割り当てる送信回路１１を変更し（Ｓ１１）、その処理をＳ５に戻す。
【００５６】
以上説明したように、基地局装置１０によれば、通信レートが高い場合の受信エラーの発生を抑制することができる。また、他の移動局装置２０への割り当て状態により、最適な送信回路１１を注目移動局装置２０に割り当てることが無理であったとしても、次善の送信回路１１を割り当てることが可能となる。
【００５７】
また、一旦送信回路１１を割り当てた後に、割り当てる送信回路１１を変更することが可能となり、さらに通信状態に応じて適応的に取得される多値度に応じて、適宜送信回路１１を変更していくことが可能となる。
【００５８】
さらに、変調精度を良くしても受信エラー発生抑制効果が得られない場合に、変調精度の悪い変調装置１１０を含む送信回路１１を割り当てるようにすることができる。例えば、図４（ａ）に示されるＤＱＰＳＫの例では、移動局装置２０から受信している電波の電界強度が比較的低い（この場合、移動局装置２０に対して送信する信号のＳＮＲが比較的低くなる。）場合にＳＮＲの改善効果はほとんど得られないが、このような場合には、変調精度の悪い変調装置１１０を含む送信回路１１を割り当てるようにすることができるので、効率的に送信回路１１を割り当てることが可能となる。
【００５９】
また、基地局装置１０によれば、復調についても、上記同様、通信レートが高い場合の受信エラーの発生を抑制することができる。
【００６０】
なお、本発明は上記実施の形態に限定されるものではない。例えば、上記実施の形態では送信回路と受信回路を別々に割り当てたが、これらを一体の送受信回路として取り扱うこととしてもよい。この場合には、送受信回路のランク付けを行うようにすることが好適である。
【図面の簡単な説明】
【００６１】
【図１】本発明の実施の形態にかかる移動体通信システムのシステム構成を示す図である。
【図２】本発明の実施の形態にかかる基地局装置の機能ブロックを示す図である。
【図３】変調精度について説明するための説明図である。
【図４】変調精度の違いが復調に与える影響を説明するための説明図である。
【図５】本発明の実施の形態にかかる送受信系割当部の処理フローを示す図である。
【符号の説明】
【００６２】
１  移動体通信システム、１０  基地局装置、１１  送信回路、１２  受信回路、１３  デュプレクサ、１４  信号処理部、１５  記憶部、２０  移動局装置、１１０  変調装置、１２０  復調装置、１４０  データ受信部、１４１  多値度取得部、１４２  送受信系割当部、１４３  データ送信部、１５０  変調精度記憶部、１５１  送受信系割当記憶部。
【図１】
2008011111.tif 000004
【図２】
2008011111.tif 000005
【図３】
2008011111.tif 000006
【図４】
2008011111.tif 000007
【図５】
2008011111.tif 000008